(57)【特許請求の範囲】
【請求項１】
Ｃ．Ｉ．ピグメントイエロー７４を含んでなるインク組成物と、Ｃ．Ｉ．ピグメントイエロー１０９、１１０、１２８、１５０、および１５４からなる群から選択される少なくとも一種のイエロー顔料を含んでなる第二のイエローインク組成物とを少なくとも用いた画像記録方法であって、
Ｃ．Ｉ．ピグメントイエロー７４を含んでなるインク組成物を用いて高濃度イエロー部分を印刷し、第二のイエローインク組成物を含んでなるインク組成物を用いて低濃度イエロー部分を印刷することを特徴とする、方法。
【請求項２】
Ｃ．Ｉ．ピグメントイエロー７４を含んでなるインク組成物を１００％ｄｕｔｙ以下７０％ｄｕｔｙ超過で印字したときのイエロー濃度に対応する部分を高濃度イエロー部分として、Ｃ．Ｉ．ピグメントイエロー７４を含んでなるインク組成物により印刷を行い、
Ｃ．Ｉ．ピグメントイエロー７４を含んでなるインク組成物を７０％ｄｕｔｙ以下で印字したときのイエロー濃度に対応する部分を低濃度イエロー部分として、第二のイエローインク組成物により印刷を行う、請求項１に記載の方法。
【請求項３】
中濃度イエロー部分を、Ｃ．Ｉ．ピグメントイエロー７４を含んでなるインク組成物と、第二のイエローインク組成物とをともに印字する、請求項１に記載の方法。
【請求項４】
Ｃ．Ｉ．ピグメントイエロー７４を含んでなるインク組成物を１００％ｄｕｔｙ以下７５％ｄｕｔｙ超過で印字したときのイエロー濃度に対応する部分を高濃度イエロー部分として、Ｃ．Ｉ．ピグメントイエロー７４を含んでなるインク組成物により印刷を行い、
Ｃ．Ｉ．ピグメントイエロー７４を含んでなるインク組成物を６５％ｄｕｔｙ以下で印字したときのイエロー濃度に対応する部分を低濃度イエロー部分として、第二のイエローインク組成物により印刷を行い、
Ｃ．Ｉ．ピグメントイエロー７４を含んでなるインク組成物を７５％ｄｕｔｙ以下６５％ｄｕｔｙ超過で印字したときのイエロー濃度に対応する部分を中濃度イエロー部分として、Ｃ．Ｉ．ピグメントイエロー７４を含んでなるインク組成物と、第二のイエローインク組成物とをともに印字する、請求項３に記載の方法。
【請求項５】
インク組成物の液滴を吐出し、該液滴を記録媒体に付着させて印字を行うインクジェット記録方法により印刷を行う、請求項１〜４のいずれか一項に記載の方法。
【請求項６】
請求項１〜５のいずれか一項に記載の記録方法によって記録が行われた、記録物。
【請求項７】
請求項１〜５のいずれか一項に記載の記録方法に用いられる、Ｃ．Ｉ．ピグメントイエロー７４を含んでなるインク組成物と、Ｃ．Ｉ．ピグメントイエロー１０９、１１０、１２８、１５０、および１５４からなる群から選択される少なくとも一種のイエロー顔料を含んでなる第二のイエローインク組成物とを少なくとも含んでなる、インクセット。
【発明の詳細な説明】
【０００１】
【発明の背景】
発明の分野
本発明は、イエローインク組成物を用いた記録方法に関し、さらに詳しくはイエローインク組成物を用いたインクジェット記録方法に関する。
【０００２】
背景技術
インク組成物によって形成された画像には種々の性能が求められるが、その一つに耐光性がある。また、インク組成物を用いてカラー画像を形成する場合、少なくともマゼンタインク、イエローインクおよびシアンインクを用いるのが一般的であり、それぞれのインクは、保存によって組成や物性が変化しないなどのインク組成物に一般的に要求される性能を満たしていなければならない。また、被記録材上で鮮明な画像が得られること、長期保存による画像の劣化がないことが求められる。
【０００３】
さらに、カラー画像を複数のインク組成物で形成するカラー画像にあっては、一色でも耐光性に劣るものが存在すると画像の色相が変わりカラー画像の品質が極端に劣化する。よって、カラーインク組成物にあっては、より制御された耐光性が要求される。
【０００４】
また、最近、インクジェット記録プリンタが広く普及し始めている。このインクジェット記録方法は、インク組成物の小液滴を飛翔させ、紙等の記録媒体に付着させて印刷を行う印刷方法である。この方法は、比較的安価な装置で高解像度、高品位の画像を、高速で印刷可能という特徴を有する。特にカラーインクジェット記録装置は、画像品質が向上し、写真の出力機としても利用され、デジタル印刷機、プロッター、ＣＡＤ出力デバイス等としても利用されるに至っている。このような広く利用されるに至っているインクジェット記録プリンタによって印刷された画像は、様々な利用の形態が考えられる。特に写真仕様の印刷物などはディスプレイとして長時間蛍光灯または屋外等の直射日光に暴露される場所におかれることが考えられる。よって、インクジェット記録方法によって得られた画像において耐光性は極めて重要な要求性能となっている。
【０００５】
従来、イエローインク組成物の着色剤として、Ｃ．Ｉ．ピグメントイエロー７４が広く用いられてきている。この顔料は、イエローの発色性の点において他の顔料系着色剤の中でとりわけ優れるものである。しかしながら、その耐光性においてはさらに改善の余地を残すものであったといえる。
【０００６】
また、特開平１０−２５４４０号にはＣ．Ｉ．ピグメントイエロー１５４を含んだインクジェット記録用インク組成物が提案されている。しかしながら、この公報には、Ｃ．Ｉ．ピグメントイエロー１０９、１１０、１２８、１５０、または１５４をＣ．Ｉ．ピグメントイエロー７４と共に用いること、さらにはそれによって得られる利点についての開示はない。
【０００７】
【発明の概要】
本発明者らは、今般、Ｃ．Ｉ．ピグメントイエロー７４を含んでなるイエローインクと、Ｃ．Ｉ．ピグメントイエロー１０９、１１０、１２８、１５０、または１５４を含んでなるイエローインクとを一定の条件下のもと組み合わせて用いることにより、イエロー画像の耐光性を大きく改善できるとの知見を得た。本発明はかかる知見に基づくものである。
【０００８】
従って、本発明は、耐光性および発色性に優れたイエロー画像を形成可能な画像記録方法の提供をその目的としている。
【０００９】
そして、本発明による画像記録方法は、Ｃ．Ｉ．ピグメントイエロー７４を含んでなるインク組成物と、Ｃ．Ｉ．ピグメントイエロー１０９、１１０、１２８、１５０、および１５４からなる群から選択される少なくとも一種のイエロー顔料を含んでなる第二のイエローインク組成物とを少なくとも用いた画像記録方法であって、Ｃ．Ｉ．ピグメントイエロー７４を含んでなるインク組成物を用いて高濃度イエロー部分を印刷し、第二のイエローインク組成物を含んでなるインク組成物を用いて低濃度イエロー部分を印刷することを特徴とするものである。
【００１０】
【発明の具体的説明】
本発明による画像記録方法は、インク組成物を用いた記録方式であり、インク組成物を用いた記録方式とは、例えば、インクジェット記録方式、スクリーン印刷、ペン等による筆記具による記録方式、その他各種の印刷方式が挙げられる。本発明は、特にインクジェット記録方法において顕著にその効果を享受できる。
【００１１】
本発明による記録方法あっては、Ｃ．Ｉ．ピグメントイエロー７４を含んでなるインク組成物と、Ｃ．Ｉ．ピグメントイエロー１０９、１１０、１２８、１５０、および１５４からなる群から選択される少なくとも一種のイエロー顔料を含んでなる第二のイエローインク組成物とを少なくとも用いる。そして、印字する画像の内、高濃度イエロー部分をＣ．Ｉ．ピグメントイエロー７４を含んでなるインク組成物を用いて印刷し、低濃度イエロー部分を第二のイエローインク組成物を用いて印刷する。本発明による画像記録方法によれば、優れた発色性を有し、かつ耐光性あるイエロー画像を実現することができる。
【００１２】
本発明の好ましい態様によれば、Ｃ．Ｉ．ピグメントイエロー７４を含んでなるインク組成物を１００％ｄｕｔｙ以下７０％ｄｕｔｙ超過で印字したときのイエロー濃度に対応する部分を高濃度イエロー部分とし、７０％ｄｕｔｙ以下で印字したときのイエロー濃度に対応する部分を低濃度イエロー部分として印刷を行う。
【００１３】
さらに本発明の別の好ましい態様によれば、中濃度イエロー部分を、Ｃ．Ｉ．ピグメントイエロー７４を含んでなるインク組成物と、第二のイエローインク組成物とをともに印字する。好ましくは、Ｃ．Ｉ．ピグメントイエロー７４を含んでなるインク組成物を１００％ｄｕｔｙ以下７５％ｄｕｔｙ超過で印字したときのイエロー濃度に対応する部分を高濃度イエロー部分とし、６５％ｄｕｔｙ以下で印字したときのイエロー濃度に対応する部分を低濃度イエロー部分とし、７５％ｄｕｔｙ以下６５％ｄｕｔｙ超過で印字したときのイエロー濃度に対応する部分を中濃度イエロー部分とする。そして、高濃度イエロー部分は、Ｃ．Ｉ．ピグメントイエロー７４を含んでなるインク組成物を、低濃度イエロー部分は第二のイエローインク組成物を、そして中濃度イエロー部分はＣ．Ｉ．ピグメントイエロー７４を含んでなるインク組成物と、第二のイエローインク組成物とをともに印字する。この態様によれば、さらに良好は発色性および耐光性を有するイエロー画像を実現することができる。
【００１４】
本明細書において使用される単位「ｄｕｔｙ」は、下記の式（Ｉ）で定義され、算出される値Ｄの単位を示すものである。
【数１】
0003553581.tif 000002
【００１５】
本発明において用いられるイエローインク組成物は、着色剤としてＣ．Ｉ．ピグメントイエロー７４またはＣ．Ｉ．ピグメントイエロー１０９、１１０、１２８、１５０、もしくは１５４を含んでなる。着色剤以外の他のインク組成については、印刷方法および記録方法に適した組成とされてよい。
【００１６】
本発明の好ましい態様によれば、本発明において着色剤としてのＣ．Ｉ．ピグメントイエロー７４の含有量は、その上限として１０重量％以下が好ましく、より好ましくは７重量％以下であり、またその下限として１重量％以上が好ましく、より好ましくは２重量％以上である。また、Ｃ．Ｉ．ピグメントイエロー７４またはＣ．Ｉ．ピグメントイエロー１０９、１１０、１２８、１５０、または１５４の含有量については、その上限として１０重量％以下が好ましく、より好ましくは７重量％以下であり、またその下限として１重量％以上が好ましく、より好ましくは２重量％以上である。
【００１７】
本発明の好ましい態様によれば、Ｃ．Ｉ．ピグメントイエロー７４またはＣ．Ｉ．ピグメントイエロー１０９、１１０、１２８、１５０、もしくは１５４は、分散剤または界面活性剤で水性媒体中に分散させて得られた顔料分散液としてインクに添加されるのが好ましい。好ましい分散剤としては、顔料分散液を調製するのに慣用されている分散剤、例えば高分子分散剤を使用することができる。なお、この顔料分散液に含まれる分散剤および界面活性剤がインク組成物の分散剤および界面活性剤としても機能するであろうことは当業者に明らかであろう。高分子分散剤の好ましい例としては天然高分子が挙げられ、その具体例としては、にかわ、ゼラチン、ガゼイン、アルブミンなどのタンパク質類、アラビアゴム、トラガントゴムなどの天然ゴム類、サボニンなどのグルコシド類、アルギン酸およびアルギン酸プロピレングリコールエステルアルギン酸トリエタノールアミン、アルギン酸アンモニウムなどのアルギン酸誘導体、メチルセルロース、カルボキシメチルセルロース、ヒドロキシエチルセルロース、エチルヒドロキシセルロースなどのセルロース誘導体などが挙げられる。さらに、高分子分散剤の好ましい例として合成高分子が挙げられ、ポリビニルアルコール類、ポリビニルピロリドン類、ポリアクリル酸、アクリル酸−アクリルニトリル共重合体、アクリル酸カリウム−アクリルニトリル共重合体、酢酸ビニル−アクリル酸エステル共重合体、アクリル酸−アクリル酸エステル共重合体などのアクリル系樹脂、スチレン−アクリル酸共重合体、スチレン−メタクリル酸共重合体、スチレン−メタクリル酸−アクリル酸エステル共重合体、スチレン−α−メチルスチレン−アクリル酸共重合体、スチレン−α−メチルスチレン−アクリル酸−アクリル酸エステル共重合体などのスチレン−アクリル樹脂、スチレン−マレイン酸共重合体、スチレン−無水マレイン酸共重合体、ビニルナフタレン−アクリル酸共重合体、ビニルナフタレン−マレイン酸共重合体、および酢酸ビニル−エチレン共重合体、酢酸ビニル−脂肪酸ビニルエチレン共重合体、酢酸ビニル−マレイン酸エステル共重合体、酢酸ビニル−クロトン酸共重合体、酢酸ビニル−アクリル酸共重合体などの酢酸ビニル系共重合体およびそれらの塩が挙げられる。これらの中で、特に疎水性基を持つモノマーと親水性基を持つモノマーとの共重合体、および疎水性基と親水性基を分子構造中に併せ持ったモノマーからなる重合体が好ましい。
【００１８】
本発明による記録方法に用いられるイエローインク組成物の溶媒は、水と水溶性有機溶媒からなるのが好ましい。この水溶性有機溶媒は、好ましくは低沸点有機溶剤であり、その例としては、メタノール、エタノール、ｎ−プロピルアルコール、ｉｓｏ−プロピルアルコール、ｎ−ブタノール、ｓｅｃ−ブタノール、ｔｅｒｔ−ブタノール、ｉｓｏ−ブタノール、ｎ−ペンタノールなどがあげられる。特に一価アルコールが好ましい。低沸点有機溶剤は、インクの乾燥時間を短くする効果がある。低沸点有機溶剤の添加量はインクの１〜２０重量％が好ましく、より好ましくは１〜１０重量％の範囲である。
【００１９】
また、本発明の好ましい態様によれば、本発明に使用するインク組成物は、さらに高沸点有機溶媒からなる湿潤剤を含んでなることが好ましい。高沸点有機溶媒剤の好ましい例としては、エチレングリコール、ジエチレングリコール、トリエチレングリコール、ポリエチレングリコール、ポリプロピレングリコール、プロピレングリコール、ブチレングリコール、１，２，６−ヘキサントリオール、チオグリコール、ヘキシレングリコール、グリセリン、トリメチロールエタン、トリメチロールプロパンなどの多価アルコール類、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、トリエチエレングリコールモノメチルエーテル、トリエチレングリコールモノエチルエーテル、トリエチレングリコールモノブチルエーテルなどの多価アルコールのアルキルエーテル類、尿素、２−ピロリドン、Ｎ−メチル−２−ピロリドン、１，３−ジメチル−２−イミダゾリジノン、トリエタノールアミンなどがあげられる。
【００２０】
これら湿潤剤の添加量は、インクの２〜３０重量％が好ましく、より好ましくは５〜２０重量％の範囲である。
【００２１】
本発明による記録方法に用いられるイエローインク組成物は糖を含むことができる。好ましい糖としては、単糖類、二糖類、オリゴ糖類（三糖類および四糖類を含む）および多糖類があげられ、好ましくはグルコース、マンノース、フルクトース、リボース、キシロース、アラビノース、ガラクトース、アルドン酸、グルシトール、（ソルビット）、マルトース、セロビオース、ラクトース、スクロース、トレハロース、マルトトリオース、などがあげられる。ここで、多糖類とは広義の糖を意味し、アルギン酸、α−シクロデキストリン、セルロースなど自然界に広く存在する物質を含む意味に用いることとする。また、これらの糖類の誘導体としては、前記した糖類の還元糖（例えば、糖アルコール（一般式ＨＯＣＨ２  （ＣＨＯＨ）ｎＣＨ２  ＯＨ（ここで、ｎ＝２〜５の整数を表す）で表される）、酸化糖（例えば、アルドン酸、ウロン酸など）、アミノ酸、チオ糖などがあげられる。特に糖アルコールが好ましく、具体例としてはマルチトール、ソルビットなどがあげられる。これら糖類の含有量は、インクの１〜１０重量％程度が好ましい。
【００２２】
本発明において用いられるイエローインク組成物は、さらに界面活性剤を含有することができる。界面活性剤の例としては、アニオン性界面活性剤（例えばドデシルベンゼルスルホン酸ナトリウム、ラウリル酸ナトリウム、ポリオキシエチレンアルキルエーテルサルフェートのアンモニウム塩など）、非イオン性界面活性剤（例えば、ポリオキシエチレンアルキルエーテル、ポリオキシエチレンアルキルエステル、ポリオキシエチレンソルビタン脂肪酸エステル、ポリオキシエチレンアルキルフェニルエーテル、ポリオキシエチレンアルキルアミン、ポリオキシエチレンアルキルアミドなど）および、アセチレングリコール（オレフィンＹ、並びにサーフィノール８２、１０４、４４０、４６５、および４８５（いずれもＡｉｒ  Ｐｒｏｄｕｃｔｓ  ａｎｄ  Ｃｈｅｍｉｃａｌｓ  Ｉｎｃ．  製）が挙げられる。これらは単独使用または二種以上を併用することができる。
【００２３】
その他、必要に応じて、ｐＨ調整剤、防腐剤、防かび剤、りん系酸化防止剤等を添加しても良い。
【００２４】
インク組成物は、前記成分を適当な方法で分散、混合することによって製造することができる。好ましくは、まず顔料と高分子分散剤と水を適当な分散機（例えば、ボールミル、サンドミル、アトライター、ロールミル、アジテータミル、ヘンシェルミキサー、コロイドミル、超音波ホモジナイザー、ジェットミル、オングミルなど）で混合し、均一な顔料分散液を調製し、次いで、水、水溶性有機溶媒、糖、ｐＨ調整剤、防腐剤、防かび剤等を加えて充分溶解させてインク溶液を調製する。充分に撹拌した後に、目詰まりの原因となる粗大粒子および異物を除去するためにろ過を行って目的のインク組成物を得る。
【００２５】
本発明による記録方法にあっては、上記したイエローインク組成物とともに、他の色のインク組成物を用いて画像記録を行うことができる。他の色のインク組成物としては、ブラックインク組成物、シアンインク組成物、およびマゼンタインク組成物が挙げられる。従って、本発明の別の態様によれば、上記したイエローインク組成物と、他の色のインク組成物とを含んでなる、本発明による画像記録方法に用いられるインクセットが提供される。本発明の好ましい態様によれば、このインクセットは、上記したイエローインク組成物と、シアンインク組成物およびマゼンタインク組成物とを含んでなることが好ましく、さらに場合によってブラックインク組成物を含んでなることができる。これら他のインク組成物に付いても、その着色剤および他の組成については、印刷方法を勘案して適宜決定されてよい。
【００２６】
【実施例】
以下の実施例によって本発明をさらに詳細に説明するが、本発明はこれら実施例に限定されるものではない。なお、以下で特に断らない限り、％は重量％を意味する。
【００２７】
インクの調製
以下の組成を有する顔料インク組成物を次の操作によって製造した。まず、顔料と分散剤樹脂とを混合し、サンドミル（安川製作所製）中でガラスビーズ（直径１．７ｍｍ、混合物の１．５倍量（重量））とともに２時間分散させた。その後ガラスビーズを取り除き、他の添加物を加え、常温で２０分間撹拌した。５μｍのメンブランフィルターでろ過して、インク組成物を得た。
【００２８】
イエローインク１
Ｃ．Ｉ．ピグメントイエロー７４            ３．５％
スチレン−アクリル酸共重合体              １．２％（固形分）
グリセリン                                  １３％
エチレングリコール                            ８％
サーフィノール４６５                          １％
トリエチレングリコールモノブチルエーテル      ５％
トリエターノールアミン                    ０．７％
純水                                          残量
【００２９】
イエローインク２−１
Ｃ．Ｉ．ピグメントイエロー１５４          ４．０％
スチレン−アクリル酸共重合体              １．３％（固形分）
グリセリン                                  １０％
ジエチレングリコール                        １０％
サーフィノール４６５                      ０．８％
ジエチレングリコールモノブチルエーテル        ４％
トリエタノールアミン                      ０．９％
純水                                          残量
【００３０】
イエローインク２−２
Ｃ．Ｉ．ピグメントイエロー１２８          ４．２％
スチレン−アクリル酸共重合体              １．２％（固形分）
（分子量１００００、酸価１４０）
グリセリン                                  １２％
エチレングリコール                            ８％
トリエターノールアミン                    ０．９％
サーフィノール４６５                      ０．８％
トリエチレングリコールモノブチルエーテル      ７％
純水                                          残量
【００３１】
イエローインク２−３
Ｃ．Ｉ．ピグメントイエロー１０９          ３．０％
スチレン−アクリル酸共重合体              ０．９％（固形分）
グリセリン                                  １３％
エチレングリコール                            ８％
トリエターノールアミン                    ０．８％
サーフィノール４６５                          １％
トリエチレングリコールモノブチルエーテル      ７％
純水                                          残量
【００３２】
イエローインク２−４
Ｃ．Ｉ．ピグメントイエロー１１０          ３．１％
スチレン−アクリル酸共重合体              ０．９％（固形分）
グリセリン                                  １０％
ジエチレングリコール                        １２％
トリエターノールアミン                    ０．７％
サーフィノール４６５                          １％
トリエチレングリコールモノブチルエーテル      ５％
純水                                          残量
【００３３】
イエローインク２−５
Ｃ．Ｉ．ピグメントイエロー１５０          ３．１％
スチレン−アクリル酸共重合体              １．１％（固形分）
グリセリン                                  １５％
エチレングリコール                            ８％
サーフィノール４６５                          １％
トリエチレングリコールモノブチルエーテル      ８％
純水                                          残量
【００３４】
マゼンタインク
Ｃ．Ｉ．ピグメントレッド１２２            ３．０％
スチレン−アクリル酸共重合体              ０．９％（固形分）
グリセリン                                  １１％
ジエチレングリコール                          ８％
サーフィノール４６５                          １％
トリエチレングリコールモノブチルエーテル      ７％
トリエタノールアミン                      ０．５％
純水                                          残量
【００３５】
シアンインク
Ｃ．Ｉ．ピグメントブルー１５：３          ２．２％
スチレン−アクリル酸共重合体              ０．９％（固形分）
グリセリン                                  １２％
ジエチレングリコール                        １０％
サーフィノール４６５                      ０．８％
トリエチレングリコールモノブチルエーテル      ７％
トリエタノールアミン                      ０．７％
純水                                          残量
【００３６】
画像例１
上記のインク組成物を用いてイエローのベタ印字および人肌の様な黄色の淡色部分を有するカラー画像を形成した。カラー画像形成の際、イエローインク１を１００％ｄｕｔｙで印字したときのイエロー濃度を基準として次のような画像処理を行った。すなわち、画像中のイエローインク１を１００％ｄｕｔｙ以下７５％ｄｕｔｙ超過で印字したときのイエロー濃度に対応する部分をイエローインク１により印刷を行い、イエローインク１を６５％ｄｕｔｙ以下で印字したときのイエロー濃度に対応する部分をイエローインク２−１、２−２、２−３、２−４、または２−５により印刷を行い、イエローインク１を７５％ｄｕｔｙ以下６５％ｄｕｔｙ超過で印字したときのイエロー濃度に対応する部分をイエローインク１およびイエローインク２−１、２−２、２−３、２−４、または２−５とを要求色濃度を実現するのに適当な割合で混在させて印刷を行った。
なお、印刷は、セイコーエプソン製インクジェットプリンタ「ＭＪ−９３０Ｃ」を用いて、１ドット当たりの吐出インク重量を０．０４０μｇとし、３６０ｄｐｉ×３６０ｄｐｉとして行った。
【００３７】
画像例２
イエローインク１のみを用いて、画像例１と同様のイエローのベタ印字および人肌の様な黄色の淡色部分を有するカラー画像を形成した。
【００３８】
評価１：印刷直後の画像品質
画像例１および２の画像は、発色性に優れ、目視による観察では画像の相違を見いだすことはできなかった。
【００３９】
評価２：耐光性評価
画像例１および２に、光照射を行い、その耐光性を次のように評価した。まず、光照射はキセノンウエザオメーターＣｉ３５Ａ（ＡＴＬＡＳ社）を使用して行い、ブラッックパネル６３℃、相対湿度５０％、３４０ｎｍ紫外光放射照度０．３５Ｗ／ｍ２  で印刷物を曝露した。照射条件は、３６０ｋＪ／ｍ２  （上記条件下で２８４時間光照射）または７２０ｋＪ／ｍ２  （上記条件下で５６８時間光照射）とした。
【００４０】
結果を次の基準で評価した。
評価Ａ：目視による評価では、照射前後での画像の違いは認められない。
評価Ｂ：目視による評価において、照射前後での画像の違いが認められた。
評価Ｃ：目視による評価において、明らかに画像の劣化が認められた。
評価結果は下記の表に示される通りであった。
【表１】
0003553581.tif 000003